(57)【特許請求の範囲】
【請求項１】
底面部と、
該底面部に形成した集水部と、
上記底面部の縁部から立設させた壁面部と、
から成り、
前記底面部には、前記集水部へ流れるように下降傾斜させた傾斜面と、
該傾斜面の流れを堰き止めるように１又は２箇所以上に配設した堰部と、
を形成したことを特徴とする礫耕栽培用ベッド。
【請求項２】
底面部を矩形状に形成すると共に、集水部を底面部の長手方向に沿って延びる溝部としたことを特徴とする請求項１記載の礫耕栽培用ベッド。
【請求項３】
底面部の長手方向の一端部又は両端部を開放すると共に、該端部を連結可能としたことを特徴とする請求項１、又は２記載の礫耕栽培用ベッド。
【発明の詳細な説明】
【技術分野】
【０００１】
本願発明は、作物栽培に用いる水耕栽培用ベッドの技術分野に属し、特に栽培床として有機肥料を含有した砂礫混合物を用い、これに水や培養液を散布して溶出させた養分を作物に吸収させる栽培方法に用いる礫耕栽培用ベッドに関する。
【背景技術】
【０００２】
従来の有機農法による作物栽培には、栽培床である土壌に有機肥料を施肥する他、有機肥料及び無機成分供給資材に接触させた水を作物に吸収させる水耕栽培方法、又は無機成分供給資材から成る砂礫混合物に有機肥料を含有させて栽培床とし、これに水や化学肥料が溶解した培養液を散布して、溶出された養分を作物に吸収させる方法が案出されている。
【０００３】
かかる栽培方法は、実用化されているものもあり、さらなる研究開発が進んでいる。これら具体的な栽培方法の例としては、特許文献１に開示されている。
【０００４】
土壌を用いない栽培方法、特に特許文献１に開示された砂礫混合物を栽培床とする場合は、主に発泡スチロール材から断面視コ字状の容器に形成した略樋状体を呈する栽培用ベッドを用いていた。この栽培用ベッドは、上記砂礫混合物を収納すると共に所望作物を植えて用いるものであった。そして、栽培用ベッドは栽培床に散布された水や培養液の排水手段に加えて、さらには栽培用ベッドの複数が長手方向に連結可能とする形態が主流であった。
【０００５】
例えば、特許文献２に開示している栽培用ベッドは、ベッド接地面の勾配に対して長手方向の培養液の偏りを解消することを目的として構成されており、凹状栽培槽の連結端部に長手方向に対する所定高さの堰部を形成する構成である。
【先行技術文献】
【特許文献】
【０００６】
【特許文献１】特開２００７−２２８９７９号公報
【特許文献２】特開平１０−１７８９４６号公報
【発明の概要】
【発明が解決しようとする課題】
【０００７】
従来の栽培用ベッドは、砂礫混合物を栽培床として用いた場合、土壌の栽培床に比べて、散布した水や培養液の透水速度が早く、根からの養分吸収が十分に行われないまま、ベッド底部の排水路から排水されてしまう問題点があった。この排水は循環させて再利用することは可能であるが、根に対する水や培養液の十分な浸潤は解決されていないのが現状であった。
【０００８】
この観点から上記の特許文献２の栽培用ベッドについて、砂礫混合物を栽培床とする栽培方法に用いる場合に、以下の問題点があった。
【０００９】
特許文献２の栽培用ベッドは、培養液の溶液量の偏りを無くすために、ベッドの長手側端部にのみ堰を設けている。この構成により、培養液の長手方向の偏りの影響を抑制する技術的効果を発揮するものの、短手方向の偏りは抑制できないものであった。つまり、ベッドの内側床面の中央部に段部を備えた水抜き溝を設けているために排水はこの段部を超える必要があり、ベッド全体の短手方向の偏りに伴って溝の一方側に培養液の偏りが発生するため、作物生育にとって悪影響が考えられる。
【００１０】
そこで、本願発明は上記の課題に着目してなされたものであり、水耕栽培用の特に砂礫混合物を栽培床とした礫耕栽培において、作物に十分な養分吸収を行わせることが可能な構造の礫耕栽培用ベッドを提供するものである。
【課題を解決するための手段】
【００１１】
上記の課題を解決するために、本願発明にかかる礫耕栽培用ベッドは、以下のように構成している。
【００１２】
すなわち、底面部と、この底面部に形成した集水部と、上記底面部の縁部から立設させた壁面部と、から成り、前記低面部には、前記集水部へ流れるように下降傾斜させた傾斜面と、該傾斜面の流れを堰き止めるように１又は２箇所以上に配設した堰部を形成したことを特徴としている。
【００１３】
上記構成の礫耕栽培用ベッドは、底面部及び壁面部の配置から上方開口の容器状を呈する。また、傾斜面の流れを堰き止めるように配設した堰部は、傾斜面を横断する方向に形成すると共に、水の流れを一時的に堰き止める形状であれば、突条を連続させた形態でも良く、一部に切欠きを入れて流れを促す部分と堰き止める部分を有する形態に変更しても良い。
【００１４】
なお、礫耕栽培用ベッドは、容器状であれば平面視の形状は、適宜に矩形状や角状、円状、楕円状、もしくは全体を湾曲させた長尺形状としても良い。
【００１５】
上記構成の礫耕栽培用ベッドにより、散布された水や培養液は傾斜面に沿って速やかに集水部に向かって流れる一方、堰部により流れを堰き止められて、一時的にこの部分に留まることとなる。
【００１６】
礫耕栽培用ベッドの材質としては、成形が容易である点や軽量でかつ保温性に優れる発泡スチロール材が好適である。
【００１７】
また、本願の礫耕栽培用ベッドは、底面部を矩形状に形成すると共に、集水部を長手方向に沿って延びる溝部に形成した構成としても良い。この溝部は言わば、水路又は排水路として機能し、その形成する本数は適宜に１又は複数本の形成が可能である。底面部の傾斜面はこの溝部に向かって下降傾斜する態様となり、その配置状況により傾斜面も増加することとなる。
【００１８】
溝部形状を採用した礫耕栽培用ベッドは、傾斜面の形成や構成の簡略化の観点から溝部の形成数は１本とし、かつ、水の流れを短手方向の一方向に限定するために、その形成位置を一方の壁面部付近とすることが好適である。
【００１９】
この溝部を一方側壁面部に形成した場合は、底面部の全体が一方向に下降傾斜する１つの傾斜面を有し、水や培養液は所謂片流れとなる。これは、溝部と反対側上部で水や培養液を散布した場合、その流れる方向が傾斜に沿った一方向に限定できる。ただし、溝部や傾斜面の配置は、作物の品種、栽培床への水や培養液の散布手段の配置関係、等を考慮して選定する必要がある。
【００２０】
さらに、本願の礫耕栽培用ベッドは、底面部の長手方向の一端部又は両端部を開放すると共に、該端部を連結可能としたことを特徴としている。因みに両端が開放した礫耕栽培用ベッドは、全体形状が長尺樋状の形態を呈する。この形態を採用した場合、複数の礫耕栽培用ベッドを長手方向に連結可能となる。
【００２１】
なお、長手方向の一端部側のみを開放した礫耕栽培用ベッドは、連結するベッド全体の端部側の配置とすることが好適である。
【発明の効果】
【００２２】
上記のように構成した本願発明にかかる礫耕栽培用ベッドは、その独自構成により散布された水や培養液の一部を傾斜面の堰部で一時的に留めることができる。この結果、堰部に留まった水や培養液から作物が根を介して十分に養分を吸収できることとなる。
【００２３】
また、底面部に傾斜面を設けているため、礫耕栽培用ベッド全体での水や培養液の流れる方向が予め把握でき、作物の品種や生育状態に合わせて水や培養液の散布場所や散布量を調整できる。
【００２４】
本願発明にかかる礫耕用栽培ベッドは、上記の技術的効果を奏する一方で、従来通りにベッド全体の排水の良好性は確保しており、作物の根腐れや病原菌の繁殖を抑制できる効果も維持している。
【００２５】
さらに、本願発明にかかる礫耕栽培用ベッドの底面部を矩形状に形成することにより、集水部を直線水路状の溝部に形成でき、傾斜面を溝部に向かって下降傾斜する単純平面で構成することができる。この結果、礫耕栽培用ベッド構造を簡略化できる。
【００２６】
加えて、礫耕栽培用ベッドの底面部の長手方向を開放して全体を樋状に形成することにより、複数ベッドを長手方向へ連結可能となり、作物品種や栽培数に適合でき、より汎用性を高めることができる。
【図面の簡単な説明】
【００２７】
【図１】本願発明に係る礫耕栽培用ベッドの使用状況を示す一部切り欠き斜視図である。
【図２】本願発明に係る礫耕栽培用ベッドの使用形態にするまでを示す一部切り欠き組立斜視図である。
【図３】本願発明に係る礫耕栽培用ベッドの断面図である。
【図４】本願発明に係る礫耕栽培用ベッドの連結態様を示す説明図（Ａ）、（Ｂ）である。
【図５】本願発明に係る礫耕栽培用ベッドの作用説明図（Ａ）、及び一部拡大図（Ｂ）である。
【発明を実施するための形態】
【００２８】
以下に、本願発明に係る礫耕栽培用ベッド（以下、「ベッド」と略称する。）の最良の実施形態例について、図面に基づき詳細に説明する。
【００２９】
図１は、本実施例のベッドの使用状況を示す一部切り欠き斜視図であり、図２はベッドの使用形態にするまでを示す一部切り欠き組立斜視図であり、図３はベッドの断面図であり、図４はベッドの連結態様を示す説明図（Ａ）、（Ｂ）である。
【００３０】
まず、本実施例のベッド１は、図１に示すように、内側に樹脂製のネットＮを載置し、その上にサンゴ砂やこれを焼成して成る砂礫混合物Ｂを収納すると共に、所望の作物Ｃを植えて、さらに上記砂礫混合物Ｂに散布管７を介して水や培養液ｗ（以下、「水等」と称する。）を散布し、使用に供するものである。
【００３１】
次に、ベッド１の構成について、以下に詳細に説明する。
本実施例のベッド１は、主に、長尺厚板状の底面部２と、この底面部２の長手側縁部から対向するように立設させた壁面部３と、から上面開放の樋状体を呈するように形成している。ベッド１を形成する材質としては、形状の形成が容易である点や軽量で保温性に優れる発泡スチロール材を採用している。
【００３２】
また、底面部２の内側面には、一方の壁面部３の長手方向に沿って一段掘り下がった断面矩形状を呈する溝部４を形成している。ここで、溝部４はベッド１に散布された水等ｗの集水部として機能するものである。この溝部４には、排水機能を向上させるために、メッシュ状の暗渠管５を配設している。
【００３３】
さらに、上記底面部２には、傾斜面２１を形成している。この傾斜面２１は、溝部４へ水等ｗの流れを付加するものであり、溝部４を除いた底面部２の内側全体を、溝部４に向かって所定の傾斜角をもって下降傾斜させて形成している。
【００３４】
上記傾斜面２１には、水等ｗの流れを堰き止めるようにした堰部２２を形成している。この堰部２２は、溝部４へ下降傾斜する傾斜面２１を横断するように所定間隔にて２段形成している。堰部２２の形状は、本実施例では断面半円状の突起状に形成しているが、この形状に限定するものではなく、断面矩形状、山状、楕円状、と水等ｗの流れを堰き止め可能な適宜の形状に変更可能である。
【００３５】
また、堰部２２は、本実施例では、底面部２の長手方向に２段状にかつ連続的に形成しているが、段数を増減したり途中で切り欠いたり、少なくとも水等ｗの流れを一時的に堰き止めることができれば、適宜に変更しても良い。
【００３６】
さらに、２段状に形成した堰部２２を避けた傾斜面２１の位置には、断面半円凹状に掘り下げた管用凹部２３を傾斜面２１の長手方向に沿って２箇所形成している。この管用凹部２３にはベッド１の温度管理の媒体、例えば、湯やオイルを流通させる昇温管６を配設している。
【００３７】
底面部２の長手方向の両端面には、複数のベッド１どうしが連結可能となるように、一方側に鉤部２４を形成すると共に、他方側に受部２５を形成している。鉤部２４は、図４に示すように、上側に突起が鉤状に突出した態様を呈し、受部２５は下方から上昇した鉤部２４と係合する下向凹状を呈している。なお、ベッド１の連結態様については、後述する壁面部３の構成の説明後に併せて説明する。
【００３８】
壁面部３は、底面部２の長手方向の両側縁部から立設させ板状体であり、上端側の外側を若干薄く形成している。壁面部３の上端側は、ネットＮの端部を壁面に何らかの止め具によって固定し易いように又は搬送時に人が把持し易いように板厚を若干薄くしている。
【００３９】
また、壁面部３の両端部の縦方向には、上述した底面部２の鉤部２４と受部２５と連係してベッド１どうしの連結を可能とする連結凸部３１と連結凹部３２を形成している。連結凸部３１は鉤部２４の形成側の壁面部３の縦方向に矩形凸状に形成しており、連結凹部３２は受部２５の形成側に矩形凹状に形成している。なお、各連結凸部３１は、対応する各連結凹部３２に嵌め合う寸法に設定している。
【００４０】
加えて、ベッド１の底面部２の外側下面には、係合溝１１をその長手方向に形成している。この係合溝１１は、ベッド１を地面に直接載置することを避ける場合に、例えば、平行２列の管体で構成したフレーム８と係合させるものである。これにより、ベッド１はフレーム上でも安定的に配設することが可能となる。
【００４１】
次に、ベッド１どうしの連結手順を説明する。まず、壁面部３に連結凹部３２が形成されたベッド１の長手側端部を、壁面部３に連結凸部３１が形成されたベッド１の長手側端部に向かって斜め上方側から接近させる。
【００４２】
ベッド１の端部側の連結凹部３２に連結凸部３１を挿入後、一方のベッド１を上下方向に動かして、鉤部２４と受部２５の係合を行う。ベッド１の短手側は連結凸部３１の連結凹部３２への挿入によって位置決めと短手方向の連結が行われ、ベッド１の長手側は鉤部２４と受部２５の係合によって上下方向と長手方向の連結が行われることとなる。なお、連結したベッド全体の端部側は、別途、発泡スチロールの板体を配置したり又はその部分のみネットＮを拡張して閉塞している。
【００４３】
次に、ベッド１の実際の使用状況と共に、その作用を図５に基づき説明する。ここで、図５はベッド１の作用説明図であり、（Ｂ）は（Ａ）の丸で囲った部位の拡大図である。
【００４４】
本実施例のベッド１は、図５に示すように、まず、所定数のベッド１を連結してフレーム８の上に係合溝１１を介して設置する。また、併せて、溝部４にはメッシュ状の暗渠管５を配設すると共に、必要により管用凹部２３に昇温管６を配設する。本実施例では、１本の暗渠管５と２本の昇温管６を配設している。
【００４５】
次に、ベッド１の内側面に、底面部２と両側の壁面部３を覆うことが可能な大きさであって、砂礫混合物Ｂの粒子が通過しえないような網目のネットＮを載置する。このネットＮの載置時は、その端部を必要により壁面部３の板厚の薄い部分に適宜な止め具等を介して固定しても良い。
【００４６】
ネットＮの載置や固定が完了したら、栽培床として砂礫混合物Ｂを壁面部３の上端付近まで収納する。この砂礫混合物Ｂは、粒径が最大３０ｍｍ程度で適宜な大きさのサンゴ砂やこれを焼成したものに有機肥料を含有させたものである。サンゴ砂としてはサンゴ礁群付近に存在する海サンゴ、又はサンゴ礁が陸化した山サンゴを採用している。この砂礫混合物Ｂに水等ｗを散布すると、サンゴ砂から無機成分であるカルシウム、マグネシウム、鉄に加えて、有機肥料から作物の生育に必要な成分が溶出することとなる。
【００４７】
最後に、砂礫混合物Ｂに所望の作物Ｃを植えると共に、散布管７をベッド１の長手側の溝部４とは反対側に配設し、適宜に水等ｗを散布して作物Ｃの生育を促して使用に供する。
【００４８】
上記したベッド１の配置後、作物Ｃの生育のために散布された水等ｗは、粒子が粗い砂礫混合物Ｂから成る栽培床に速やかに浸透し、底面部２の傾斜面２１を溝部４に向かって流れることとなる。
【００４９】
ここで、傾斜面２１を流れる水等ｗは、傾斜面２１に長手方向に形成した堰部２２によって流れが堰き止められ、その部分に滞留することになる。このように水等ｗが一時的に滞留することにより、作物Ｃはその根Ｃ１を介して生育に必要不可欠な養分を十分に吸収できることとなる。
【００５０】
その一方、栽培床全体では、土壌がなく水等ｗも速やかに排水されるため、害虫や病原菌の発生を大幅に減少させることができる。
[他の実施例の可能性]
【００５１】
上記実施例は、ベッド１の底面部２を矩形状として、長手側両端を開放して連結可能としているが、この態様に限定するものではない。
【００５２】
すなわち、底面部２は必要により直角状、一部クランク状、湾曲状、等の適宜の形状に形成しても良い。ベッド１をかかる形状に形成した場合でも、集水部を底面部２の長手方向に沿った溝部４に形成することにより、傾斜面２１を一面のみの形成とすることができる。
【００５３】
さらに、連結態様においても、ベッド全体の平面視が角状であれば連結したベッド１の全体形状は矩形状に周回する形態となり、クランク状であれば角部を複数有する適宜な多角形となり、湾曲状であればドーナツ状に周回する形態となり、ベッド１の設置場所に適合させた全体形状を構成できる。
【符号の説明】
【００５４】
１  ベッド
１１  係合溝
２  底面部
２１  傾斜面
２２  堰部
２３  管用凹部
２４  鉤部
２５  受部
３  壁面部
３１  連結凸部
３２  連結凹部
４  溝部（集水部）
５  暗渠管
６  昇温管
７  散布管
８  フレーム
Ｂ  砂礫混合物
Ｃ  作物
Ｃ１  根
Ｎ  ネット
ｗ  水（培養液）
【要約】
【課題】砂礫混合物を栽培床とした礫耕栽培において、作物に十分な養分吸収を行わせることが可能な構造の礫耕栽培用ベッドを提供する。
【解決手段】礫耕栽培用ベッド１は、底面部２と、この底面部に形成した集水部４と、上記底面部の縁部から対向立設させた壁面部３と、から成り、低面部には集水部へ流れるように下降傾斜させた傾斜面２１と、該傾斜面の流れを堰き止めるように傾斜面を横断させて配設した２段状の堰部２２を形成したことを特徴とする。また、上記底面部を矩形状に形成すると共に、集水部を長手方向に沿って延びる溝部４に形成する。さらに、底面部の長手方向の一端側又は両端部を開放し、該端部を他の礫耕栽培用ベッドの端部との連結を可能に構成する。
【選択図】図３【図１】
0005470501.tif 000002
【図２】
0005470501.tif 000003
【図３】
0005470501.tif 000004
【図４】
0005470501.tif 000005
【図５】
0005470501.tif 000006